(57)【要約】【課題】貫通孔への管・ケーブル類の配線作業を簡易な作業で行うことができ、貫通部を容易に形成することができる貫通部の防火区画構造及び該防火区画構造を形成する貫通部形成体を提供する。【解決手段】建物の床１１には、ケーブル１２が貫通する貫通部１３が形成され、該貫通部１３には防火区画構造が設けられている。貫通部１３の防火区画構造は、床１１に穿設された貫通孔１１ａ内に配設された貫通部形成体１４内にケーブル１２が挿通配線され、該ケーブル１２と貫通部形成体１４の内周面との間に耐火材１５が充填されて形成されている。貫通部形成体１４は一対の分割体１８を組付けて形成されている。分割体１８の一開口縁部には重ね片２１が形成されている。貫通部形成体１４には各重ね片２１とその内側の開口縁部２２とが、分割体１８の軸線方向及び周方向に重合して、貫通部形成体１４の径方向に相対向する位置に一対の重合部Ｊ１が形成されている。【選択図】      図１
2005226725.tif 000002
【特許請求の範囲】
【請求項１】
建物の区画部を管・ケーブル類が貫通する貫通部に設けられ、前記区画部を貫通する貫通孔内に配設された不燃材製の筒状をなす貫通部形成体の内周面と、該貫通部形成体内に挿通された管・ケーブル類との間に、熱により膨張する耐火材が充填された貫通部の防火区画構造において、
前記貫通部形成体は、該貫通部形成体に対する管・ケーブル類の挿通方向に沿って複数に分割された分割体、又は前記管・ケーブル類の挿通方向に沿って前記分割体同士が連結された連結分割体を組付けて形成されているとともに、貫通部形成体には隣接する分割体の縁部同士が重合して重合部が設けられ、該重合部は、前記管・ケーブル類の挿通方向、及び前記耐火材の膨張に伴い分割体が移動する方向に沿って、前記縁部同士が重合して形成されていることを特徴とする貫通部の防火区画構造。
【請求項２】
前記重合部は、隣接する縁部のうち一方の縁部に形成された重ね片と、他方の縁部との重合より形成されていることを特徴とする請求項１に記載の貫通部の防火区画構造。
【請求項３】
前記重合部は、前記重ね片が他方の縁部の外側に被さって形成されていることを特徴とする請求項２に記載の貫通部の防火区画構造。
【請求項４】
前記貫通部形成体には、該貫通部形成体の前記貫通孔内への配設状態で前記区画部に係止する鍔部が設けられていることを特徴とする請求項１〜請求項３のいずれか一項に記載の貫通部の防火区画構造。
【請求項５】
前記鍔部は、前記各分割体に設けられた鍔片同士を組付けて形成されているとともに、該鍔部には隣接する前記鍔片の端部同士が重合して重合部が設けられ、該重合部は、鍔部の幅方向、及び前記耐火材の膨張に伴い分割体が移動する方向に沿って、前記鍔片の端部同士が重合して形成されていることを特徴とする請求項４に記載の貫通部の防火区画構造。
【請求項６】
建物の区画部において管・ケーブル類が貫通する貫通部の防火区画構造を形成するために、前記区画部を貫通する貫通孔内に配設されて前記管・ケーブル類が挿通されるとともに、該管・ケーブル類との間に、熱により膨張する耐火材が充填される不燃材製の筒状をなす貫通部形成体であって、
前記管・ケーブル類の挿通方向に沿って複数に分割された分割体、又は前記挿通方向に沿って前記分割体同士が連結された連結分割体を組付けて形成されているとともに、隣接する分割体の縁部同士が重合して重合部が設けられ、該重合部は、前記管・ケーブル類の挿通方向、及び前記耐火材の膨張に伴い分割体が移動する方向に沿って、前記縁部同士が重合して形成されていることを特徴とする貫通部形成体。
【請求項７】
前記重合部は、隣接する縁部のうち一方の縁部に形成された重ね片と、他方の縁部との重合により形成されていることを特徴とする請求項６に記載の貫通部形成体。
【請求項８】
前記重ね片は、該重ね片が重合する他方の縁部の外側に被さるべく一方の縁部を外側へ折り曲げて形成されていることを特徴とする請求項７に記載の貫通部形成体。
【請求項９】
前記貫通孔内への配設状態で、前記区画部に係止する鍔部が設けられていることを特徴とする請求項６〜請求項８のいずれか一項に記載の貫通部形成体。
【請求項１０】
前記鍔部は、前記各分割体に設けられた鍔片同士を組付けて形成されているとともに、該鍔部には鍔片の端部同士が隣接する位置にそれら端部同士が重合した重合部が設けられ、該重合部は、鍔部の幅方向、及び前記耐火材の膨張に伴い分割体が移動する方向に沿って、前記鍔片の端部同士が重合して形成されていることを特徴とする請求項９に記載の貫通部形成体。
【発明の詳細な説明】
【技術分野】
【０００１】
本発明は、建物の床等の区画部において管・ケーブル類が貫通する貫通部を防火処理するための防火区画構造及び該防火区画構造を形成する貫通部形成体に関する。
【背景技術】
【０００２】
建物の床（区画部）において、管・ケーブル類が貫通配線された貫通部に防火処理を施すため、床には貫通部の防火区画構造が形成されている（例えば特許文献１参照。）。前記防火区画構造を形成するために、床（スラブ）に穿設された貫通孔内には、角筒状をなす金属製の貫通筒体が複数個配設され、各貫通筒体はそれぞれ外面に取り付けられた固定片を介して前記床に固定されている。各貫通筒体の外周面と、貫通孔の内周面との間には、無機熱発泡充填材が熱発泡膨張された状態で充填されている。各貫通筒体内にケーブルが挿通されることにより、ケーブルが床を貫通した状態で配線され、そのケーブルと、各貫通筒体の上側及び下側の内周面との間にはそれぞれ耐火材が充填されている。
【特許文献１】特開２００１−３４６８９７号公報（第４頁〜第６頁、第１図）
【発明の開示】
【発明が解決しようとする課題】
【０００３】
上記防火区画構造を備えた貫通部を形成するには、貫通孔内に配設された貫通筒体内にケーブルを挿通して、該ケーブルを貫通孔を貫通させる配線作業を行わなければならない。しかし、貫通筒体の開口は貫通孔より狭く、小さいため、ケーブルをその端部から貫通筒体内に挿通する作業は非常に行いにくく、貫通孔にケーブルを貫通させて貫通部を形成する作業が非常に面倒であるという問題があった。
【０００４】
本発明は、上記従来技術に存在する問題点に着目してなされたものである。その目的とするところは、貫通孔への管・ケーブル類の配線作業を簡易な作業で行うことができ、貫通部を容易に形成することができる貫通部の防火区画構造及び該防火区画構造を形成する貫通部形成体を提供することにある。
【課題を解決するための手段】
【０００５】
上記問題点を解決するために、請求項１に記載の発明は、建物の区画部を管・ケーブル類が貫通する貫通部に設けられ、前記区画部を貫通する貫通孔内に配設された不燃材製の筒状をなす貫通部形成体の内周面と、該貫通部形成体内に挿通された管・ケーブル類との間に、熱により膨張する耐火材が充填された貫通部の防火区画構造において、前記貫通部形成体は、該貫通部形成体に対する管・ケーブル類の挿通方向に沿って複数に分割された分割体、又は前記管・ケーブル類の挿通方向に沿って前記分割体同士が連結された連結分割体を組付けて形成されているとともに、貫通部形成体には隣接する分割体の縁部同士が重合して重合部が設けられ、該重合部は、前記管・ケーブル類の挿通方向、及び前記耐火材の膨張に伴い分割体が移動する方向に沿って、前記縁部同士が重合して形成されていることを要旨とする。
【０００６】
請求項２に記載の発明は、請求項１に記載の貫通部の防火区画構造において、前記重合部は、隣接する縁部のうち一方の縁部に形成された重ね片と、他方の縁部との重合より形成されていることを要旨とする。
【０００７】
請求項３に記載の発明は、請求項２に記載の貫通部の防火区画構造において、前記重合部は、前記重ね片が他方の縁部の外側に被さって形成されていることを要旨とする。
請求項４に記載の発明は、請求項１〜請求項３のいずれか一項に記載の貫通部の防火区画構造において、前記貫通部形成体には、該貫通部形成体の前記貫通孔内への配設状態で前記区画部に係止する鍔部が設けられていることを要旨とする。
【０００８】
請求項５に記載の発明は、請求項４に記載の貫通部の防火区画構造において、前記鍔部は、前記各分割体それぞれに設けられた鍔片同士を組付けて形成されているとともに、該鍔部には隣接する前記鍔片の端部同士が重合して重合部が設けられ、該重合部は、鍔部の幅方向、及び前記耐火材の膨張に伴い分割体が移動する方向に沿って、前記鍔片の端部同士が重合して形成されていることを要旨とする。
【０００９】
請求項６に記載の発明は、建物の区画部において管・ケーブル類が貫通する貫通部の防火区画構造を形成するために、前記区画部を貫通する貫通孔内に配設されて前記管・ケーブル類が挿通されるとともに、該管・ケーブル類との間に、熱により膨張する耐火材が充填される不燃材製の筒状をなす貫通部形成体であって、前記管・ケーブル類の挿通方向に沿って複数に分割された分割体、又は前記挿通方向に沿って前記分割体同士が連結された連結分割体を組付けて形成されているとともに、隣接する分割体の縁部同士が重合して重合部が設けられ、該重合部は、前記管・ケーブル類の挿通方向、及び前記耐火材の膨張に伴い分割体が移動する方向に沿って、前記縁部同士が重合して形成されていることを要旨とする。
【００１０】
請求項７に記載の発明は、請求項６に記載の貫通部形成体において、前記重合部は、隣接する縁部のうち一方の縁部に形成された重ね片と、他方の縁部との重合により形成されていることを要旨とする。
【００１１】
請求項８に記載の発明は、請求項７に記載の貫通部形成体において、前記重ね片は、該重ね片が重合する他方の縁部の外側に被さるべく一方の縁部を外側へ折り曲げて形成されていることを要旨とする。
【００１２】
請求項９に記載の発明は、請求項６〜請求項８のいずれか一項に記載の貫通部形成体において、前記貫通孔内への配設状態で、前記区画部に係止する鍔部が設けられていることを要旨とする。
【００１３】
請求項１０に記載の発明は、請求項９に記載の貫通部形成体において、前記鍔部は、前記各分割体それぞれに設けられた鍔片同士を組付けて形成されているとともに、該鍔部には鍔片の端部同士が隣接する位置にそれら端部同士が重合した重合部が設けられ、該重合部は、鍔部の幅方向、及び前記耐火材の膨張に伴い分割体が移動する方向に沿って、前記鍔片の端部同士が重合して形成されていることを要旨とする。
【発明の効果】
【００１４】
請求項１〜請求項５の貫通部の防火区画構造及び請求項６〜請求項１０の貫通部形成体によれば、貫通孔への管・ケーブル類の配線作業を簡易な作業で行うことができ、貫通部を容易に形成することができる。
【発明を実施するための最良の形態】
【００１５】
以下、本発明を具体化した貫通部の防火区画構造及び該防火区画構造を形成する貫通部形成体の第１及び第２実施形態について説明する。なお、第２実施形態においては第１実施形態との相違点についてのみ説明する。
【００１６】
（第１の実施形態）
図１に示すように、建物の区画部としての床１１には、管・ケーブル類としてのケーブル１２が貫通する貫通部１３が形成され、該貫通部１３に防火処理を施すため、該床１１には防火区画構造が設けられている。前記貫通部１３の防火区画構造は、前記床１１を貫通した貫通孔１１ａ内に貫通部形成体１４が配設され、該貫通部形成体１４内に、ケーブル１２が挿通配線されている。そして、該ケーブル１２が床１１（貫通孔１１ａ）を貫通した状態で、ケーブル１２と貫通部形成体１４の内周面との間に耐火材１５が充填されて形成されている。
【００１７】
前記貫通部形成体１４は不燃材である金属材よりなり、その軸線方向の中央部外面に鍔部１７を備えた円筒状をなす。前記貫通部形成体１４は、該貫通部形成体１４に対するケーブル１２の挿通方向に沿って二つに分割された分割体１８を組付けて形成されている。図２に示すように、前記分割体１８は、それぞれ貫通部形成体１４を、該貫通部形成体１４に対するケーブル１２の挿通方向に沿って二分割した半円筒状をなし、さらにその半円筒体の軸線方向の中央部外面に鍔片２０を備えている。
【００１８】
前記分割体１８において、前記ケーブル１２の挿通方向に延びる一対の開口縁部のうちの一方の開口縁部には重ね片２１が形成され、他方の開口縁部２２には重ね片２１が形成されていない。この重ね片２１は分割体１８の一方の開口縁部を外側に折り曲げ、さらに分割体１８の周方向へ折り曲げることにより形成されている。この重ね片２１は前記一方の開口縁部の長さ方向のほぼ全体、言い換えれば貫通部形成体１４に対するケーブル１２の挿通方向に亘って形成されている。なお、重ね片２１の長さ方向ほぼ中央には凹所２１ｃが凹設されている。さらに、重ね片２１及び開口縁部２２の上下両端部には、それぞれ固定孔２１ｂ，２２ｂが穿設されている。
【００１９】
分割体１８の軸線方向の中央部外面には上下一対の取付突起１９ａが設けられ（図２では上側の取付突起１９ａのみ図示）、該取付突起１９ａは分割体１８の周方向に複数箇所に設けられている。前記鍔片２０は、分割体１８の半円筒体に別体の金属板を取付けることによって分割体１８に設けられている。即ち、鍔片２０は円弧状をなす取付部２０ａを備えている。そして、該取付部２０ａを分割体１８の半円筒体の外面に沿わせながら上下に位置する取付突起１９ａの間に嵌め込み、さらに取付ビス２３を半円筒体から取付部２０ａに固定して取付けられている。
【００２０】
前記鍔片２０の両端部のうち、前記重ね片２１が形成された側の一方の端部には、重ね代２０ｃが段差を介して形成され、鍔片２０の他方の端部２０ｄには重ね代２０ｃが形成されていない。また、重ね代２０ｃ及び端部２０ｄにはそれぞれ固定孔２０ｅが穿設されている。そして、上記構成の分割体１８を一対用いて貫通部形成体１４が形成される。前記耐火材１５は火災熱により熱発泡して膨張するものであり、火災発生時においても炭化しないものである。
【００２１】
さて、貫通部１３の防火区画構造を形成するには、まず、図２に示すように、貫通孔１１ａ内にケーブル１２を挿通し、該ケーブル１２を建物内に配設する。次に、ケーブル１２をその外側から一対の分割体１８で挟むようにしてそれら分割体１８を組付ける。即ち、両分割体１８に一箇所ずつ設けられた重ね片２１の内面側に、各重ね片２１と相対向する各分割体１８の開口縁部２２を配設するとともに、各重ね片２１の内面に、前記開口縁部２２の端縁を当接させる。
【００２２】
また、両分割体１８の鍔片２０に一箇所ずつ設けられた重ね代２０ｃの下側に、重ね代２０ｃと相対向する各鍔片２０の端部２０ｄを配設するとともに、各重ね代２０ｃの内面に、前記端部２０ｄを当接させる。すると、一対の分割体１８が組付けられ、円筒状をなす貫通部形成体１４が形成されるとともに、該貫通部形成体１４に鍔部１７が形成される。
【００２３】
その後、図３に示すように、ケーブル１２が配線された貫通部形成体１４の鍔部１７より下側を貫通孔１１ａ内に挿入し、鍔部１７をパッキンＰを介して床１１の上面に係止させると、貫通部形成体１４が床１１に支持される。
【００２４】
貫通部１３に防火区画構造を形成する際、ケーブル１２は、貫通部形成体１４ではなく貫通孔１１ａに直接挿通されて、貫通孔１１ａへの配線作業が行われる。貫通孔１１ａの直径は、貫通部形成体１４の円筒部分の直径、即ち、貫通部形成体１４の開口よりも大きいため、貫通孔１１ａ内に配設された貫通部形成体１４内にその開口からケーブル１２を挿通して配線作業を行う場合と比較して、ケーブル１２の貫通孔１１ａへの配線作業が容易に行われる。さらに、そのケーブル１２を一対の分割体１８で挟むようにして分割体１８を組付けるだけで、貫通部形成体１４内にケーブル１２が配線されるため、ケーブル１２の貫通部形成体１４内への配線作業はさらに容易となる。
【００２５】
最後に、図５に示すように、鍔部１７より上側において、貫通部形成体１４の内周面と、ケーブル１２との間に耐火材１５を充填すると、床１１には貫通部１３が形成されるとともに、該貫通部１３に防火区画構造が形成される。
【００２６】
図３及び図４に示すように、貫通部１３の防火区画構造において、隣接した分割体１８の間で、隣接した縁部の一方の縁部、即ち、一方の分割体１８の縁部に形成された重ね片２１と、他方の縁部、即ち他方の分割体１８の縁部としての開口縁部２２とが重合して重合部Ｊ１が２箇所に形成されている。各重合部Ｊ１において、各重ね片２１とその内側の開口縁部２２とが、貫通部形成体１４に対するケーブル１２の挿通方向及び周方向に重合している。このとき、固定孔２１ｂ、２２ｂとが一致している。
【００２７】
また、貫通部形成体１４には鍔部１７が形成されている。貫通部形成体１４における隣接する鍔片２０の間で、隣接した端部同士が互いに重合している。即ち、両鍔片２０に一箇所ずつ設けられた重ね代２０ｃの下側に、各重ね代２０ｃと相対向する端部２０ｄが入り込んでいる。そして、各重ね代２０ｃと端部２０ｄとが、鍔片２０の幅方向に重合して、貫通部形成体１４の筒を挟んだ相対向する位置に一対の重合部Ｊ２が形成されている。このとき、各重合部Ｊ２において上下の固定孔２０ｅが一致している。
【００２８】
図３に示すように、貫通孔１１ａの内周面と、貫通孔１１ａ内の貫通部形成体１４の筒体外周面との間には隙間Ｓが形成されるが、該隙間Ｓの床１１上面における開口は、鍔部１７によって閉塞されている。また、前記隙間Ｓの幅、言い換えると、貫通部形成体１４の筒体外周面と貫通孔１１ａの内周面との間の間隔は、前記重ね片２１の幅方向への長さより短くなっている。
【００２９】
なお、各重合部Ｊ１において固定孔２１ｂ，２２ｂにボルトを挿通し、そのボルトをナットに螺合して一対の分割体１８の軸線方向への移動を規制してもよい。さらには、各重合部Ｊ２において上下の固定孔２０ｅにボルトを挿通し、そのボルトをナットに螺合して一対の分割体１８の離れる方向への移動を規制してもよい。
【００３０】
さて、万一、貫通部１３の防火区画構造が形成された床１１下で火災が発生したとき、貫通部形成体１４の内外両側が下側から火災熱によって加熱される。また、隙間Ｓ内に侵入した煙や火災熱によって貫通部形成体１４の側面が加熱される。このとき、隙間Ｓの床１１上面における開口は鍔部１７によって閉塞されているため、火災熱や煙が隙間Ｓから床１１上へ噴出することが防止される。
【００３１】
さらに、ケーブル１２の延焼熱と、前記火災熱とにより、貫通部形成体１４の上部において耐火材１５が加熱されて熱発泡膨張する。すると、貫通部形成体１４の上端側の開口が熱発泡膨張した耐火材１５によって完全に閉塞されることとなり、ケーブル１２の延焼が防止されるとともに、火災熱及び煙が貫通部形成体１４内から床１１上に及ぶことが防止される。
【００３２】
図６及び図７に示すように、耐火材の熱発泡膨張に伴い、貫通部形成体１４が拡径する方向、言い換えれば一対の分割体１８が互いに離れる方向へ移動するが、一対の分割体１８の相対向する部位では重合部Ｊ１が形成されている。そして、各重合部Ｊ１では、重ね片２１が、貫通部形成体１４に対するケーブル１２の挿通方向と、一対の分割体１８が離間するに従い移動する方向の両方向に沿って延び、対応する開口縁部２２に重合している。さらに、重ね片２１の幅方向（前記離間する方向）への長さは隙間Ｓの幅より長くなっている。
【００３３】
このため、一対の分割体１８が貫通孔１１ａ内で離間する方向へ最大に移動しても、各重ね片２１と開口縁部２２との重合が維持されるため、分割体１８同士の間に間隙が形成されることはない。従って、貫通部形成体１４が一対の分割体１８を組付けて形成されていても、火災発生時に分割体１８同士の間から耐火材１５が漏れ出たり、その耐火材１５の漏れ出しにより形成された耐火材１５と分割体１８との間の隙間から火災熱や、煙が漏れ出てしまうといった虞がない。
【００３４】
また、鍔部１７においても、各鍔片２０の重ね代２０ｃが相対向する鍔片２０の端部２０ｄに重なって重合部Ｊ２を形成している。このため、分割体１８同士が離間し、鍔片２０同士が離れる方向へ移動しても、それら鍔片２０の間に間隙が形成されることはない。従って、貫通部形成体１４が一対の分割体１８を組付けて形成され、鍔部１７が鍔片２０を組付けて形成されていても、火災発生時に隙間Ｓに侵入した煙が鍔片２０同士の間から漏れ出てしまうことが防止される。
【００３５】
上記実施形態によれば、以下のような効果を得ることができる。
（１）貫通部形成体１４は一対の分割体１８を組付けて形成できるため、ケーブル１２を挟むように分割体１８を組付けることにより、貫通部形成体１４内にケーブル１２を配線することができる。このため、貫通孔１１ａに既に挿通配線されたケーブル１２の外側から分割体１８を組付けて貫通部形成体１４を形成し、その貫通部形成体１４を貫通孔１１ａ内に挿入するだけで貫通孔１１ａへのケーブル１２の配線作業、さらには貫通部１３の形成作業を行うことができる。従って、貫通孔１１ａに配設された貫通部形成体１４内にその開口からケーブル１２を挿通して貫通孔１１ａにケーブル１２を配線して貫通部１３を形成する場合と比較して、貫通孔１１ａへのケーブル１２の配線作業を容易に行うことができ、貫通部１３の防火区画構造を容易に形成することができる。
【００３６】
（２）貫通部形成体１４は一対の分割体１８を組付けて形成されるが、耐火材１５が熱発泡膨張し、一対の分割体１８が互いに離れる方向へ移動しても、一対の重合部Ｊ１では各重ね片２１と開口縁部２２との重合が維持される。従って、一対の分割体１８同士の間の間隙や耐火材１５と分割体１８との間の隙間が形成されることはなく、火災熱や煙が貫通部形成体１４内から外へ漏れ出し、貫通部１３より上側、即ち床１１上に噴出する虞がない。
【００３７】
（３）重ね片２１の幅方向への長さ（分割体１８が互いに離れる方向への長さ）は、隙間Ｓの幅よりも長く設定されている。このため、耐火材１５の熱発泡膨張によって各分割体１８がそれぞれ貫通孔１１ａ内で互いに離れる方向へ移動したとしても、重ね片２１と開口縁部２２との重合を維持することができ、分割体１８同士の間に間隙が形成されることを防止できる。
【００３８】
（４）貫通部１３において、貫通孔１１ａの内周面と貫通部形成体１４の外周面との間に隙間Ｓが形成されていても、その隙間Ｓの床１１上側開口を鍔部１７により閉塞することができる。従って、鍔部１７により、隙間Ｓ内に侵入した煙が床１１上へ噴出することを防止することができる。また、鍔部１７は貫通部形成体１４を床１１に支持させるための機能を発揮するため、鍔部１７は、隙間Ｓの開口閉塞と、貫通部形成体１４の支持の二機能を発揮することができる。従って、各機能を発揮する部材を別々に貫通部形成体１４に設ける場合と異なり、貫通部形成体１４の構成を簡易なものにすることができる。
【００３９】
（５）鍔部１７は一対の鍔片２０を組付けて形成されるが、耐火材１５が熱発泡膨張し、一対の分割体１８が互いに離れる方向へ移動しても、各重合部Ｊ２では各重ね代２０ｃと相対向する端部２０ｄとの重合が維持される。従って、一対の鍔片２０同士の間に間隙が形成されることはなく、火災熱や煙が貫通部１３より上側、即ち床１１上に噴出することが防止できる。また、各重合部Ｊ２では、各分割体１８の重ね代２０ｃが鍔部１７の端部２０ｄの上側に配置されているため、一対の分割体１８が上下に移動することが規制されている。
【００４０】
（６）貫通部形成体１４は同形状をなす一対の分割体１８を対向させて組み合わせることにより形成される。従って、別形状の分割体を別々に形成し、それらを組み合わせて貫通部形成体１４を形成する場合と異なり、各分割体の形成の手間や細部の調整等面倒な作業を省くことができる。
【００４１】
（第２の実施形態）
図８〜図１１においては、第２実施形態を示す、
第１の実施形態では、各分割体１８に鍔片２０を形成し、貫通部形成体１４に鍔部１７を設けたが、図８及び図９に示すように、第２実施形態では、貫通部形成体３０において鍔部１７が省略され、各分割体３１には鍔片２０が省略されている。各分割体３１には、それぞれ重ね片３３及び開口縁部３４が形成され、各重ね片３３には固定孔３３ｂが、各開口縁部３４には固定孔３４ｂが穿設されている。
【００４２】
さて、図９及び図１０に示すように、区画部としてのコンクリート壁Ｗの貫通孔３７内に、貫通部形成体３０を配設して、管・ケーブルとしての保護管３２をコンクリート壁Ｗを貫通させる。このとき、重ね片３３と開口縁部３４が重合して重合部Ｊ１が形成されている。また、貫通部形成体３０の外周面と、貫通孔３７の内周面との間の隙間にコンクリートを埋め戻して該隙間を閉塞し、貫通部形成体３０を貫通孔３７内に支持させる。
【００４３】
次に、貫通部形成体３０の両端において、該貫通部形成体３０の内周面と、保護管３２との間に耐火材１５が充填される。図９に示すように、耐火材１５は、貫通部形成体３０の開口端から、コンクリート壁Ｗ面からの貫通部形成体３０の突出長さの半分となる位置まで充填される。すると、コンクリート壁Ｗには貫通部１３の防火区画構造が形成される。
【００４４】
万一、貫通部１３の防火区画構造が形成されたコンクリート壁Ｗの一面側（図９では右側）で火災が発生したとき、貫通部形成体３０の一端側（右端側）が火災熱によって加熱される。図１１に示すように、耐火材１５が加熱されて熱発泡膨張すると、該耐火材１５と対応する貫通部形成体３０の一端側における一対の分割体３１が互いに離れる方向へ移動する。耐火材１５の充填量は、貫通部形成体３０のＷ面からの突出量の半分程度となるように設定されているため、一対の分割体３１の一端側（右端側）のみが拡径される。
【００４５】
従って、例えば、耐火材１５の充填量が貫通部形成体３０のＷ面からの突出量とほぼ同じ又はそれ以上に設定された場合のように、貫通部形成体３０の軸線方向全体に亘って一対の分割体３１が離間することが無くなる。これは、一対の分割体３１の移動に伴う重ね片３３と開口縁部３４との重合面積の減少を抑えることに繋がる。言い換えれば、重ね片３３と開口縁部３４との重合面積をできるだけ多く確保することに繋がり、分割体３１間に隙間を形成しにくくすることができる。
【００４６】
一対の分割体３１同士の間の間隙や耐火材１５と分割体３１との間の隙間が形成されることはなく、火災熱や煙が貫通部形成体３０内から外へ漏れ出したり、保護管３２が延焼してコンクリート壁Ｗの他面まで火災が及びにくい貫通部１３を形成することができる。また、比較的少量の耐火材１５で上記機能を発揮することができるため、貫通部１３に掛かるコストを抑えることができる。
【００４７】
なお、上記実施形態は以下のように変更してもよい。
○各実施形態では、一対の分割体１８，３１を同形状のものを組付けて貫通部形成体１４，３０を形成したが、それぞれ別々の形状の分割体１８，３１を組付けて貫通部形成体１４，３０を形成してもよい。
【００４８】
○第１実施形態では、各分割体１８の鍔片２０の一端部に重ね代２０ｃを形成したが、一方の鍔片２０の両端部に重ね代２０ｃを形成してもよく、対向する他方の分割体１８の鍔片２０の両端部を重ね代２０ｃが形成されていないものとしてもよい。
【００４９】
○各実施形態では、各分割体１８，３１の一縁部に重ね片２１，３３を形成したが、各分割体１８，３１の一縁部から離れた分割体１８，３１の外周面から重ね片２１，３３を延設してもよい。即ち、一対の分割体１８，３１の端縁同士が当接した状態で、重ね片２１，３３が相対向する縁部に重なって重合部Ｊ１を形成してもよい。
【００５０】
○各実施形態では、重ね片２１，３３が隣接する開口縁部２２，３４の外側に被さるように形成したが、重ね片２１，３３が隣接向する開口縁部２２，３４の内側に入り込むように形成してもよく、該開口縁部２２，３４の内外両側に重なるように形成してもよい。
【００５１】
○各実施形態では、分割体１８，３１を半円筒状に形成したが、四角筒状をなす貫通部形成体を二分割した半角筒状をなす分割体としてもよい。
○各実施形態では、貫通部形成体１４，３０を、二つの分割体１８，３１を組付けて形成したが、三つ以上の分割体を組付けて貫通部形成体１４，３０を形成してもよい。このとき、隣接する分割体同士の間において、隣接する縁部のうち一方に重ね片を係止し、該重ね片を他方の縁部に重合させて重合部を形成する。
【００５２】
○各実施形態では、貫通部形成体１４，３０を、一対の分割体１８，３１を組付けて形成した。これを、例えば、図１２に示すように、一対の分割体１８，３１が、隣接する縁部同士が連結部３６により連結された連結分割体３８を組付けて形成されたものとしてもよい。なお、二つの分割体１８，３１は一体形成されており、連結部３６は貫通部形成体１４，３０を形成する金属材自身の弾性で分割体１８，３１を開閉可能とする。
【００５３】
そして、連結分割体３８の分割体１８，３１同士を互いに組付けたとき、一対の分割体１８，３１の隣接する一方の縁部に重ね片２１，３３を形成し、他方の縁部に開口縁部２２，３４を形成する。そして、重ね片２１，３３と開口縁部２２，３４とより、貫通部形成体１４，３０に重合部Ｊ１を形成してもよい。
【００５４】
○各実施形態では、区画部として床１１又はコンクリート壁Ｗに貫通部１３の防火区画構造を形成したが、区画部としての天井に貫通部の防火区画構造を形成してもよい。
○第１実施形態では、貫通部形成体１４の鍔部１７より上側に耐火材１５を設けたが、貫通部形成体１４の下端側に耐火材１５を設けてもよい。
【００５５】
○各実施形態では、管・ケーブル類としてケーブル１２、保護管３２に具体化したが、区画部に電線管、鞘管等の管を貫通させた貫通部に防火区画構造を形成してもよい。
【図面の簡単な説明】
【００５６】
【図１】第１実施形態の貫通部の防火区画構造を示す部分破断斜視図。
【図２】一対の分割体の使用状態を示す斜視図。
【図３】貫通部の防火区画構造を示す部分断面側面図。
【図４】貫通部の防火区画構造を示す平面図。
【図５】貫通部の防火区画構造を示す縦断面図。
【図６】一対の分割体が移動した貫通部の防火区画構造を示す部分断面側面図。
【図７】一対の分割体が移動した貫通部の防火区画構造を示す平面図。
【図８】第２実施形態の一対の分割体を示す斜視図。
【図９】第２実施形態の貫通部の防火区画構造を示す縦断面図。
【図１０】第２実施形態の貫通部の防火区画構造を示す正面図。
【図１１】一対の分割体が移動した貫通部の防火区画構造を示す部分断面側面図。
【図１２】別例の貫通部形成体の連結分割体を示す斜視図。
【符号の説明】
【００５７】
Ｊ１，Ｊ２…重合部、Ｗ…区画部としてのコンクリート壁、１１…区画部としての床、１１ａ，３７…貫通孔、１２…ケーブル、１３…貫通部、１４，３０…貫通部形成体、１５…耐火材、１７…鍔部、１８，３１…分割体、２０…鍔片、２０ｃ…端部としての重ね代、２０ｄ…端部、２１，３３…一方の縁部としての重ね片、２２，３４…他方の縁部としての開口縁部、３２…保護管、３８…連結分割体。
【図１】
2005226725.tif 000003
【図２】
2005226725.tif 000004
【図３】
2005226725.tif 000005
【図４】
2005226725.tif 000006
【図５】
2005226725.tif 000007
【図６】
2005226725.tif 000008
【図７】
2005226725.tif 000009
【図８】
2005226725.tif 000010
【図９】
2005226725.tif 000011
【図１０】
2005226725.tif 000012
【図１１】
2005226725.tif 000013
【図１２】
2005226725.tif 000014